(57)【要約】【課題】コンテンツに含まれる特定の部分を容易に検索して再生することができるコンテンツ再生装置を提供する。【解決手段】コンテンツ再生装置１は、コンテンツの再生中にコンテンツに含まれるチャプター等の所定の部分に対する評価を使用者から受け付け、評価を表す評価情報をコンテンツデータに関連付けて記録する。またコンテンツ再生装置１は、録画予約の際にコンテンツに対する評価を受け付けておき、評価情報を関連付けてコンテンツデータを記録する。コンテンツの一覧又はコンテンツに含まれる各部分の一覧を表示装置３で表示する際には、評価に応じてコンテンツ又は各部分を強調して表示する。印象深いシーン等の特定の部分に予め評価を与えておくことにより、使用者は、コンテンツの中から印象深いシーンを容易に検索して視聴することが可能となる。【選択図】図１
2007323779.tif 000002
【特許請求の範囲】
【請求項１】
記録媒体に記録されたコンテンツデータに基づいてコンテンツを再生するコンテンツ再生装置において、
前記記録媒体が記録するコンテンツデータに基づいたコンテンツに含まれる所定の部分に対する評価を受け付ける受付手段と、
前記コンテンツデータに関連付けて、前記受付手段が受け付けた前記評価を表す評価情報を記録する評価情報記録手段と
を備えることを特徴とするコンテンツ再生装置。
【請求項２】
前記評価情報記録手段は、
コンテンツを分割した複数の部分の夫々を示す情報に関連付けて評価情報を記録する手段を有すること
を特徴とする請求項１に記載のコンテンツ再生装置。
【請求項３】
評価情報に係る部分を前記評価情報が表す評価に応じて強調しながら、前記記録媒体が記録するコンテンツデータに基づいたコンテンツに含まれる部分の一覧を内部又は外部の表示装置に表示させる手段を更に備えること
を特徴とする請求項１又は２に記載のコンテンツ再生装置。
【請求項４】
前記評価情報記録手段は、
前記記録媒体が記録するコンテンツデータに基づいたコンテンツ中での経過時間を示す情報に関連付けて評価情報を記録する手段を有すること
を特徴とする請求項１に記載のコンテンツ再生装置。
【請求項５】
前記記録媒体が記録するコンテンツデータに基づいたコンテンツは映像であり、
評価情報が関連付けられたコンテンツデータに基づいたコンテンツを前記評価情報に係る部分のサムネイル画像で示しながら、前記記録媒体が記録するコンテンツデータの夫々に基づいたコンテンツの一覧を内部又は外部の表示装置に表示させる手段を更に備えること
を特徴とする請求項１乃至４のいずれか一つに記載のコンテンツ再生装置。
【請求項６】
前記記録媒体が記録するコンテンツデータに基づいたコンテンツの早送り再生を行う手段と、
該手段による早送り再生中に、前記コンテンツ中で評価情報に係る部分の再生速度を、前記評価情報が表す評価に応じて遅くする手段と
を更に備えることを特徴とする請求項１乃至５のいずれか一つに記載のコンテンツ再生装置。
【請求項７】
点灯により所定の情報を示す点灯手段と、
該点灯手段の点灯後に所定のタイミングで前記点灯手段を消灯させる手段と、
評価情報が関連付けられたコンテンツデータに基づいてコンテンツを再生する際に、前記評価情報に係る部分の再生時に前記点灯手段を点灯させる手段と
を更に備えることを特徴とする請求項１乃至６のいずれか一つに記載のコンテンツ再生装置。
【請求項８】
前記受付手段は、
放送される所定のコンテンツを表すコンテンツデータを前記記録媒体に記録させることを予約する予約指示を受け付ける手段と、
前記コンテンツに対する評価を受け付ける手段とを有し、
前記受付手段が受け付けた前記予約指示に従って、前記コンテンツデータを前記記録媒体に記録させる手段を更に備え、
前記評価情報記録手段は、
前記受付手段が受け付けた前記評価を表す評価情報を、前記コンテンツデータに関連付けて記録する手段を有すること
を特徴とする請求項１乃至７のいずれか一つに記載のコンテンツ再生装置。
【請求項９】
評価情報が関連付けられたコンテンツデータに基づいたコンテンツを前記評価情報が表す評価に応じて強調しながら、前記記録媒体が記録するコンテンツデータの夫々に基づいたコンテンツの一覧を内部又は外部の表示装置に表示させる手段を更に備えること
を特徴とする請求項１乃至８のいずれか一つに記載のコンテンツ再生装置。
【請求項１０】
評価情報が関連付けられているコンテンツデータを、評価情報が関連付けられた状態を保ちながら、前記コンテンツデータを記録している記録媒体とは別の記録媒体に記録させるダビング手段を更に備えること
を特徴とする請求項１乃至９のいずれか一つに記載のコンテンツ再生装置。
【請求項１１】
前記ダビング手段は、
コンテンツデータに関連付けられた評価情報の有無に応じた圧縮率、又は前記コンテンツデータに関連付けられた評価情報が表す評価に応じた圧縮率で再エンコードした上で、コンテンツデータを前記別の記録媒体に記録させる手段を有すること
を特徴とする請求項１０に記載のコンテンツ再生装置。
【発明の詳細な説明】
【技術分野】
【０００１】
本発明は、コンテンツデータを記録し、記録したコンテンツデータに基づいてコンテンツを再生するコンテンツ再生装置に関する。
【背景技術】
【０００２】
従来、映像及び音声からなるコンテンツを表すコンテンツデータを磁気テープ、光ディスク又はハードディスク等の記録媒体に記録し、記録したコンテンツデータに基づいてコンテンツを再生することができるコンテンツ再生装置が普及している。特に、光ディスク又はハードディスク等のランダムアクセスが容易な記録媒体を用いるコンテンツ再生装置では、一のコンテンツを複数のチャプターに分割したコンテンツデータを記録し、所望のチャプターからコンテンツを再生することにより、使用者の好みのシーンを優先的に再生することも可能である。
【０００３】
ところで、近年のコンテンツ再生装置は、記録媒体が大容量となっており、また放送されたコンテンツデータを録画予約等によって自動で記録することも可能であるので、大量のコンテンツデータを記録することとなる。このため、大量のコンテンツデータを管理することが必要となっている。特許文献１には、コンテンツを再生するスケジュールを各種の情報に基づいて作成しておき、作成したスケジュールに従ってコンテンツを再生する技術が開示されている。
【特許文献１】特開２００６−８５７７９号公報
【発明の開示】
【発明が解決しようとする課題】
【０００４】
前述の如く、コンテンツ再生装置は、大量のコンテンツデータを記録することが可能となっており、大量のコンテンツデータを管理し、使用者が所望のコンテンツを検索して視聴することが困難となりつつある。例えば、従来のコンテンツ再生装置では、記録している個々のコンテンツデータの区別がつきにくく、使用者が所望のコンテンツを検索することが困難であるという問題がある。また、映画又はスポーツ番組等の長時間のコンテンツの中から印象的なシーン等の特定の部分を使用者が視聴しようとする場合には、コンテンツが複数のチャプターに分割されていても、使用者の記憶に頼って所望の部分を含むチャプターを検索する必要があるので、コンテンツの中から特定の部分を視聴することが困難であるという問題がある。またコンテンツを早送り再生することによってコンテンツの中から特定の部分を探そうとする場合でも、特定の部分を見落とす虞があるという問題がある。また、放送されるコンテンツを使用者が視聴するつもりで録画予約によりコンテンツ再生装置がコンテンツデータを記録した場合であっても、使用者がコンテンツを視聴することを失念することがある。
【０００５】
本発明は、斯かる事情に鑑みてなされたものであって、その目的とするところは、コンテンツが含む所定のチャプター等の部分に対する評価を記録することにより、コンテンツに含まれる特定の部分を容易に検索して再生することができるコンテンツ再生装置を提供することにある。
【０００６】
また本発明の他の目的とするところは、使用者から受けた評価によってコンテンツを特徴付けることにより、個々のコンテンツの区別を容易にすることができるコンテンツ再生装置を提供することにある。
【０００７】
また本発明の他の目的とするところは、コンテンツの早送り再生時に評価を受けた部分を使用者が見落とさないようにすることができるコンテンツ再生装置を提供することにある。
【０００８】
また本発明の他の目的とするところは、予約により記録したコンテンツデータについても評価を記録することにより、コンテンツデータを記録したままで使用者がコンテンツを視聴することを失念することを防止できるコンテンツ再生装置を提供することにある。
【０００９】
更に本発明の他の目的とするところは、コンテンツデータをダビングする際に、コンテンツに対する評価が付加した状態でダビングすることにより、ダビング後でもコンテンツに含まれる特定の部分を容易に検索して再生することができるコンテンツ再生装置を提供することにある。
【課題を解決するための手段】
【００１０】
本発明に係るコンテンツ再生装置は、記録媒体に記録されたコンテンツデータに基づいてコンテンツを再生するコンテンツ再生装置において、前記記録媒体が記録するコンテンツデータに基づいたコンテンツに含まれる所定の部分に対する評価を受け付ける受付手段と、前記コンテンツデータに関連付けて、前記受付手段が受け付けた前記評価を表す評価情報を記録する評価情報記録手段とを備えることを特徴とする。
【００１１】
本発明においては、記録媒体に記録されたコンテンツデータに基づいてコンテンツを再生するコンテンツ再生装置は、コンテンツに含まれる所定の部分に対する評価を使用者から受け付け、評価を表す評価情報をコンテンツデータに関連付けて記録する。使用者が一度視聴したコンテンツについて、印象深いシーン等のコンテンツ中の部分に対する評価を記録しておくことができる。
【００１２】
本発明に係るコンテンツ再生装置は、前記評価情報記録手段は、コンテンツを分割した複数の部分の夫々を示す情報に関連付けて評価情報を記録する手段を有することを特徴とする。
【００１３】
また本発明においては、コンテンツ再生装置は、コンテンツを分割した各部分を示す情報に関連付けて評価情報を記録することにより、印象深いシーンを含むチャプター等のコンテンツの一部に対して評価を記録しておくことができる。
【００１４】
本発明に係るコンテンツ再生装置は、評価情報に係る部分を前記評価情報が表す評価に応じて強調しながら、前記記録媒体が記録するコンテンツデータに基づいたコンテンツに含まれる部分の一覧を内部又は外部の表示装置に表示させる手段を更に備えることを特徴とする。
【００１５】
また本発明においては、コンテンツ再生装置は、チャプター一覧等のコンテンツに含まれる各部分の一覧を表示する際に、評価情報に係る部分を強調することにより、印象深いシーンを含むチャプター等の高い評価を受けた部分を検索することが容易となる。
【００１６】
本発明に係るコンテンツ再生装置は、前記評価情報記録手段は、前記記録媒体が記録するコンテンツデータに基づいたコンテンツ中での経過時間を示す情報に関連付けて評価情報を記録する手段を有することを特徴とする。
【００１７】
また本発明においては、コンテンツ再生装置は、コンテンツ中での経過時間に関連付けて評価情報を記録することにより、印象深いシーン等のコンテンツの一部に対して評価を記録しておくことができる。
【００１８】
本発明に係るコンテンツ再生装置は、前記記録媒体が記録するコンテンツデータに基づいたコンテンツは映像であり、評価情報が関連付けられたコンテンツデータに基づいたコンテンツを前記評価情報に係る部分のサムネイル画像で示しながら、前記記録媒体が記録するコンテンツデータの夫々に基づいたコンテンツの一覧を内部又は外部の表示装置に表示させる手段を更に備えることを特徴とする。
【００１９】
また本発明においては、コンテンツ再生装置は、コンテンツデータに基づいたコンテンツの一覧を表示する際に、コンテンツ中で評価情報に係る部分のサムネイル画像を表示する。一覧中の各コンテンツは、印象深いシーン等の高い評価を受けた部分のサムネイル画像で特徴付けられる。
【００２０】
本発明に係るコンテンツ再生装置は、前記記録媒体が記録するコンテンツデータに基づいたコンテンツの早送り再生を行う手段と、該手段による早送り再生中に、前記コンテンツ中で評価情報に係る部分の再生速度を、前記評価情報が表す評価に応じて遅くする手段とを更に備えることを特徴とする。
【００２１】
また本発明においては、コンテンツ再生装置は、コンテンツの早送り再生を行っている最中に、コンテンツ中の評価情報に係る部分は、一倍速等のより遅い再生速度で再生することにより、早送り再生をしながらも印象深いシーン等の高い評価を受けた部分を検索することが容易となる。
【００２２】
本発明に係るコンテンツ再生装置は、点灯により所定の情報を示す点灯手段と、該点灯手段の点灯後に所定のタイミングで前記点灯手段を消灯させる手段と、評価情報が関連付けられたコンテンツデータに基づいてコンテンツを再生する際に、前記評価情報に係る部分の再生時に前記点灯手段を点灯させる手段とを更に備えることを特徴とする。
【００２３】
また本発明においては、コンテンツ再生装置は、点灯により時刻等の各種の情報を示す点灯手段を、起動して一定時間経過後等の所定のタイミングで消灯させている状態で、コンテンツ中の評価情報に係る部分を再生するときに点灯手段を点灯させることにより、印象深いシーン等の高い評価を受けた部分を再生していることを報知する。
【００２４】
本発明に係るコンテンツ再生装置は、前記受付手段は、放送される所定のコンテンツを表すコンテンツデータを前記記録媒体に記録させることを予約する予約指示を受け付ける手段と、前記コンテンツに対する評価を受け付ける手段とを有し、前記受付手段が受け付けた前記予約指示に従って、前記コンテンツデータを前記記録媒体に記録させる手段を更に備え、前記評価情報記録手段は、前記受付手段が受け付けた前記評価を表す評価情報を、前記コンテンツデータに関連付けて記録する手段を有することを特徴とする。
【００２５】
また本発明においては、コンテンツ再生装置は、録画予約等、放送されるコンテンツを表すコンテンツデータの記録を予約する際に、評価を受け付けておき、記録するコンテンツデータに関連付けて、評価情報を記録する。これにより、使用者が未視聴のコンテンツに対する評価を記録することができる。
【００２６】
本発明に係るコンテンツ再生装置は、評価情報が関連付けられたコンテンツデータに基づいたコンテンツを前記評価情報が表す評価に応じて強調しながら、前記記録媒体が記録するコンテンツデータの夫々に基づいたコンテンツの一覧を内部又は外部の表示装置に表示させる手段を更に備えることを特徴とする。
【００２７】
また本発明においては、コンテンツ再生装置は、コンテンツデータに基づいたコンテンツの一覧を表示する際に、評価情報が関連付けられたコンテンツデータに基づいたコンテンツを強調することにより、印象深いシーンを含むコンテンツ等の高い評価を受けたコンテンツを検索することが容易となる。
【００２８】
本発明に係るコンテンツ再生装置は、評価情報が関連付けられているコンテンツデータを、評価情報が関連付けられた状態を保ちながら、前記コンテンツデータを記録している記録媒体とは別の記録媒体に記録させるダビング手段を更に備えることを特徴とする。
【００２９】
また本発明においては、コンテンツ再生装置は、記録媒体に記録されているコンテンツデータを他の記録媒体に記録させるダビングを行う際に、コンテンツデータに関連付けられている評価情報をも他の記録媒体に記録させることにより、ダビング後でも評価情報の参照が可能となる。
【００３０】
本発明に係るコンテンツ再生装置は、前記ダビング手段は、コンテンツデータに関連付けられた評価情報の有無に応じた圧縮率、又は前記コンテンツデータに関連付けられた評価情報が表す評価に応じた圧縮率で再エンコードした上で、コンテンツデータを前記別の記録媒体に記録させる手段を有することを特徴とする。
【００３１】
また本発明においては、コンテンツ再生装置は、コンテンツデータをダビングする際に、評価情報の有無又は評価の高さに応じた圧縮率でコンテンツデータを再エンコードすることにより、コンテンツデータの品質を評価に応じた品質とすることができる。
【発明の効果】
【００３２】
本発明にあっては、使用者が一度視聴したコンテンツについて、印象深いシーンを含む部分に予め高い評価を与えておくことにより、使用者は、コンテンツ再生装置が記録するコンテンツデータに基づいたコンテンツの中から印象深いシーンを容易に検索して視聴することが可能となる。
【００３３】
また本発明にあっては、コンテンツ再生装置は、コンテンツに含まれる各部分の一覧を表示する際に、夫々の部分を評価に応じて強調するので、使用者は、印象深いシーンを含む部分に高い評価を予め与えておくことにより、コンテンツの中から印象深いシーンを容易に検索して視聴することが可能となる。
【００３４】
また本発明にあっては、コンテンツ再生装置がコンテンツの一覧を表示する際に、コンテンツ中で高い評価を受けた部分のサムネイル画像でコンテンツを特徴付けるので、使用者は、印象深いシーンを含む部分に高い評価を予め与えておくことにより、コンテンツの区別が容易となり、印象深いシーンを含むコンテンツを容易に検索して視聴することが可能となる。
【００３５】
また本発明にあっては、コンテンツ再生装置がコンテンツの早送り再生を行っている最中に、コンテンツ中で高い評価を受けた部分を一倍速等のより遅い再生速度で再生するので、使用者は、球技の試合における得点シーン等の印象深いシーンを含む部分に高い評価を予め与えておくことにより、長時間に渡るコンテンツを早送り再生によって短時間で視聴しながらも、印象深いシーンを検索して見逃さずに視聴することが可能となる。
【００３６】
また本発明にあっては、コンテンツ再生装置は、コンテンツ中で高い評価を受けた部分を再生するときに点灯手段を点灯させるので、使用者は、コンテンツの再生中に、評価の高い部分が再生されていることに気づくことになり、効率的にコンテンツを視聴することが可能となる。また点灯手段は通常の状態では消灯されているので、コンテンツ再生装置の消費電力が削減される。
【００３７】
また本発明にあっては、コンテンツ再生装置は、放送されるコンテンツに対する評価を受け付けておき、コンテンツの放送時に記録するコンテンツデータに関連付けて、評価情報を記録するので、使用者は、視聴する価値があると放送前に確信できるようなコンテンツに対して、コンテンツを視聴せずとも評価情報をコンテンツデータに関連付けておくことができる。
【００３８】
また本発明にあっては、コンテンツ再生装置は、評価されたコンテンツを強調しながらコンテンツの一覧を表示するので、使用者は、視聴する価値のあるコンテンツを容易に検索して視聴することが可能となり、特に、視聴するつもりでコンテンツデータを記録させたコンテンツの視聴を失念する可能性が低下する。
【００３９】
また本発明にあっては、評価情報が関連付けられたコンテンツデータのダビング時には、評価情報が関連付けられた状態でコンテンツデータがダビングされるので、ダビング先の記録媒体に記録されたコンテンツデータに基づいてコンテンツを再生した場合でも、使用者は、コンテンツの中から印象深いシーンを容易に検索して視聴することが可能となる。特に、使用者は、コンテンツの内容を失念した場合でも、コンテンツの中から印象深いシーンを容易に検索して視聴することができるので、記録媒体に記録されているコンテンツデータに基づいたコンテンツの内容を容易に思い出すことが可能となる。
【００４０】
また本発明にあっては、コンテンツ再生装置は、コンテンツデータをダビングする際に、評価情報の有無又は評価の高さに応じた圧縮率でコンテンツデータを再エンコードするので、高い評価を表す評価情報が関連付けられているコンテンツデータを低圧縮率でダビングすることにより、使用者は、評価の高いシーンを含むコンテンツを常に高品質で視聴することが可能となる。また評価情報が関連付けられていないコンテンツデータを高圧縮率でダビングすることにより、記録媒体の容量を節約することができる等、本発明は優れた効果を奏する。
【発明を実施するための最良の形態】
【００４１】
以下本発明をその実施の形態を示す図面に基づき具体的に説明する。
図１は、本発明のコンテンツ再生装置１の内部構成を示すブロック図である。本発明のコンテンツ再生装置１は、テレビジョン受像機等の表示装置３に接続されており、表示装置３を用いてコンテンツを再生する処理を行う構成となっている。コンテンツ再生装置１は、コンテンツ再生装置１全体の動作を制御する制御部１１を備えている。制御部１１には、コンテンツ再生装置１が各種の処理を実行する際に必要な情報を記憶するＲＡＭ１２と、コンテンツ再生装置１を制御部１１が制御するための制御プログラムを記憶するＲＯＭ１３とが接続されている。また制御部１１には、使用者が操作するリモートコントローラ（リモコン）４から送信された信号を受信するリモコン受信部（受付手段）１４、使用者が操作することによって各種の指示を受け付ける各種のスイッチからなる操作部（受付手段）１５、及び時刻等の各種の情報を表示する小型の液晶パネル等の表示部（点灯手段）１６が接続されている。
【００４２】
また制御部１１には、映像信号及び音声信号の処理及び伝送を行う信号処理部２４が接続されている。制御部１１及び信号処理部２４には、地上波放送、衛星放送、有線放送、アナログ放送、デジタル放送等の各種の放送を受信するためのチューナ部２１が接続されている。チューナ部２１は、図示しない外部のアンテナ又は通信線に接続されており、このアンテナ又は通信線を介して各種の放送信号を受信することによって、放送されたコンテンツを受信する。信号処理部２４は、チューナ部２１が受信した放送信号をデコードして映像信号及び音声信号に変換する等の信号処理を行う。
【００４３】
また制御部１１及び信号処理部２４には、ハードディスク（記録媒体）を内部に有し、内部のハードディスクに対してデータの記録及び読み出しを行うＨＤＤ部２２と、ＤＶＤ−Ｒ又はＤＶＤ−ＲＡＭ等の光ディスク（記録媒体）を取り込み、取り込んだ光ディスクに対してデータの記録及び読み出しを行う光ディスクドライブ部２３とが接続されている。信号処理部２４は、チューナ部２１が受信した放送信号を処理して記録用のコンテンツデータにエンコードし、ＨＤＤ部２２は、信号処理部２４がエンコードしたコンテンツデータをハードディスクに記録させる処理を行う。
【００４４】
また信号処理部２４には、外部へ映像信号及び音声信号を出力する出力部２５が接続されている。出力部２５は、ブラウン管ディスプレイ又は液晶ディスプレイ等を用いた表示装置３に接続可能な構成となっている。制御部１１は、ハードディスクに記録されたコンテンツデータをＨＤＤ部２２に読み出させ、信号処理部２４は、ＨＤＤ部２２が読み出したコンテンツデータを映像信号及び音声信号へデコードし、出力部２５は、信号処理部２４がデコードした映像信号及び音声信号を表示装置３へ出力する。表示装置３は、コンテンツ再生装置１からの映像信号及び音声信号に基づき、映像を表示して音声を出力する。このような処理により、コンテンツ再生装置１は、記録媒体に記録されたコンテンツデータに基づいて映像及び音声のコンテンツを再生する。なお、コンテンツ再生装置１が再生するコンテンツは、音声のみからなるコンテンツであってもよい。
【００４５】
また制御部１１は、ハードディスクに記録されたコンテンツデータをＨＤＤ部２２に読み出させ、ＨＤＤ部２２が読み出したコンテンツデータを光ディスクドライブ部２３によって光ディスクに記録させることにより、ダビングの処理を行うことができる。このダビングの処理においては、制御部１１は、ハードディスクが記録するダビング元のコンテンツデータをＨＤＤ部２２に消去させるムーブの処理、又はダビング元のコンテンツデータを消去させないコピーの処理を行う。またダビングの処理の際には、ＨＤＤ部２２が読み出したコンテンツデータを信号処理部２４で一旦デコードして再エンコードする処理を行うことも可能である。
【００４６】
図２は、本発明のコンテンツ再生装置１の外観の例を示す正面図である。コンテンツ再生装置１の正面は、各種のスイッチからなる操作部１５と、小型の液晶パネルからなる表示部１６とが配置されており、また光ディスクを正面から投入できるように、光ディスクドライブ部２３のトレイが配置されている。
【００４７】
図３は、ＨＤＤ部２２が記録するコンテンツデータの例を示す概念図である。一のコンテンツデータは、タイトルと称する一単位にまとめられた映像及び音声を含むコンテンツを表すデータでなり、タイトル名が付されている。一タイトルのコンテンツデータは、例えば、放送された一本の番組、一本の映画、又は一曲の音楽等に対応する。また一タイトルのコンテンツデータは、コンテンツデータに基づいたコンテンツを分割したチャプターと称す部分に対応するデータ部分を含んでおり、各データ部分にはチャプター名が付されている。チャプターは、例えば一本の映画における夫々の場面に対応する。
【００４８】
図３に示す如く、コンテンツは、タイトル１のように複数のチャプターからなる場合もあり、タイトル２のように一のチャプターからなって実質的には分割されていない場合もある。またコンテンツは、タイトル３のように、互いに長さが異なる複数のチャプターからなる場合もある。放送されたコンテンツを表すコンテンツデータをコンテンツ再生装置１で記録した場合等、ある種のコンテンツデータについては、コンテンツ中のチャプターの数、位置及び長さ等を使用者が任意に設定することが可能である。コンテンツ再生装置１は、一のコンテンツデータに基づいたコンテンツを再生することにより、タイトルの単位でコンテンツを再生することが可能であり、また、コンテンツデータ中のいずれかのチャプターに対応するデータに基づいてコンテンツを再生することにより、チャプター単位でコンテンツを再生することも可能である。
【００４９】
コンテンツデータを記録するハードディスクは、コンテンツデータと共に、各コンテンツデータに係る管理情報を記録しており、管理情報は、コンテンツデータ中での各チャプターに対応するデータ部分を示す情報を含んでいる。また本発明では、管理情報は、コンテンツデータに基づいたコンテンツに含まれる各チャプターに対する評価を表す評価情報を含んでいる。
【００５０】
図４は、管理情報の内容の例を示す概念図である。図４には、図３に示すタイトル１のコンテンツデータに係る管理情報の例を示しており、コンテンツデータに基づいたコンテンツのタイトル名とチャプター名とが含まれている。また管理情報では、コンテンツに含まれる各チャプターに対応するデータ部分のアドレスが各チャプター名に関連付けられている。アドレスとしては、例えば、チャプターに対応するデータ部分に含まれる最初のデータのコンテンツデータ中での位置を示す値が用いられる。更に管理情報では、各チャプターに対する評価を表す評価情報がチャプター名に関連付けられている。評価情報は、例えば、チャプターに対する評価を５段階で表現する。図４に示した例では、５段階で４の評価を表す評価情報がチャプター２に関連付けられ、５段階で１の評価を表す評価情報がチャプター３に関連付けられている。
【００５１】
各評価情報が表す評価の内容は、使用者によって指定される。リモコン４及び操作部１５は、例えば、評価用のスイッチ及びテンキーを備え、使用者が評価用のスイッチをオンにし、次いでテンキー中の１〜５のいずれかの数字キーを押下することにより、コンテンツに対する評価を５段階で指定する構成となっている。
【００５２】
図５は、管理情報を記録する処理の手順を示すフローチャートである。制御部１１は、ＲＯＭ１３が記録する制御プログラムに従って以下の処理を実行する。使用者が操作部１５又はリモコン４で所定の操作を行うことにより、コンテンツ再生装置１は、コンテンツデータの指定及びコンテンツの再生指示を操作部１５又はリモコン受信部１４で受け付け、指定されたコンテンツデータに基づいてコンテンツの再生を開始する（Ｓ１１）。このとき、前述した如く、制御部１１は、指定されたコンテンツデータをＨＤＤ部２２にハードディスクから読み出させ、信号処理部２４はコンテンツデータをデコードし、出力部２５は、映像信号及び音声信号を表示装置３へ出力し、表示装置３は、映像を表示して音声を出力する。制御部１１は、次に、使用者が操作部１５又はリモコン４で所定の操作を行うことによる、コンテンツの再生中の部分に対する評価の受付を待ち受ける（Ｓ１２）。
【００５３】
評価を受け付けた場合は（Ｓ１２：ＹＥＳ）、制御部１１は、評価を受け付けたときに再生中のチャプターに、受け付けた評価を表す評価情報を関連付けて、チャプターに関連付けた評価情報を含む管理情報をＨＤＤ部２２でハードディスクに記録させる（Ｓ１３）。ステップＳ１２で評価の受付がない場合（Ｓ１２：ＮＯ）、又はステップＳ１３が終了した場合は、制御部１１は、コンテンツが最後まで再生されたか否かの判定、及び操作部１５若しくはリモコン受信部１４でコンテンツ再生の終了指示の待ち受けを行うことにより、コンテンツの再生を終了すべきか否かを判定する（Ｓ１４）。まだコンテンツの再生を終了すべきではない場合は（Ｓ１４：ＮＯ）、制御部１１は、処理をステップＳ１２へ戻し、評価の受付を待ち受けながらコンテンツの再生を続行する。コンテンツが最後まで再生されたか、又はコンテンツ再生の終了指示を受け付けることにより、コンテンツの再生を終了すべきであると判定した場合は（Ｓ１４：ＹＥＳ）、制御部１１は、コンテンツの再生を終了し、処理を終了する。このようにして、制御部１１及びＨＤＤ部２２は本発明に係る評価情報記録手段として機能する。
【００５４】
以上の処理により、使用者は、コンテンツに含まれる各チャプターに対する評価を行い、コンテンツ再生装置１は評価情報を記録する。コンテンツ再生装置１は、コンテンツに含まれるチャプターの一覧を表示装置３に表示させることができる。制御部１１は、操作部１５又はリモコン受信部１４でコンテンツデータの指定及びチャプターの一覧の表示指示を受け付け、信号処理部２４は、指定されたコンテンツデータに基づいたコンテンツに含まれる各チャプターでの最初の場面を表したサムネイル画像を作成し、作成したサムネイル画像を含む画像信号を生成し、出力部２５は画像信号を出力する。なお、各チャプターについて予めサムネイル画像を作成してハードディスクに記録しておき、記録しているサムネイル画像を使用してもよい。
【００５５】
図６は、コンテンツに含まれるチャプターの一覧の表示画面例を示す模式図である。表示装置３は、図６に示す如き、各チャプターをサムネイル画像で示したチャプターの一覧を表示する。本発明のコンテンツ再生装置１は、評価情報が関連付けられたチャプターを、評価情報が表す評価に応じて強調して表示する。例えば、コンテンツ再生装置１は、図６に示すように、星形等の所定のシンボルを評価の段階に応じた数だけチャプターのサムネイル画像に付随させて、チャプターを強調する。図６に示した例では、チャプター２の評価が４であってチャプター３の評価が１であるので、チャプター２のサムネイル画像には星形のシンボルが４個付随しており、チャプター３のサムネイル画像には星形のシンボルが１個付随している。なお、本発明のコンテンツ再生装置１は、評価に応じてチャプターのサムネイル画像の大きさを変化させるか、評価に応じてチャプターのサムネイル画像の周りの色を変化させるか、又は所定以上の評価を表す評価情報が関連付けられたチャプターのサムネイル画像を動画像にする等、その他の方法でチャプターを強調する処理を行ってもよい。また本発明のコンテンツ再生装置１は、各チャプター名を示す文字でなるチャプターの一覧を表示する処理を行ってもよく、この場合は、評価を示す文字をチャプター名に付随させるか、又は評価に応じてチャプター名の文字の色を変化させる等の方法で、評価に応じてチャプターを強調する。
【００５６】
またコンテンツ再生装置１は、コンテンツに含まれるチャプターの一覧を、チャプターに関連付けられた評価情報が表す評価の内容別に表示する処理を行うことも可能である。図７は、コンテンツに含まれるチャプターの一覧を評価の内容別に表示した表示画面例を示す模式図である。評価５又は評価４等といった評価の内容を示す項目が表示され、各項目には、項目の評価を表す評価情報が関連付けられたチャプターのサムネイル画像が表示されている。図７に示した例では、評価４の項目には、５段階評価で４の評価を表す評価情報が関連付けられているタイトル１のチャプター２及びタイトル３のチャプター３のサムネイル画像が表示されている。コンテンツ再生装置１は、他の評価内容を表す評価情報が関連付けられたチャプターについても、各評価内容の項目の下に同様に一覧を表示し、また評価情報が関連付けられていないチャプターについても、「評価なし」という項目の下に同様に一覧を表示する。
【００５７】
図６又は図７に示す如きチャプターの一覧を表示装置３が表示した状態では、使用者は、リモコン４又は操作部１５に所定の操作を行うことによって、チャプターの一覧の中から一のチャプターを選択し、選択したチャプターをコンテンツ再生装置１に再生させることができる。コンテンツ再生装置１が評価に応じてチャプターを強調しながらチャプターの一覧を表示するので、使用者は、印象深いシーンを含むチャプターに高い評価を予め与えておくことにより、コンテンツデータに基づいたコンテンツの中から印象深いシーンを容易に検索して視聴することが可能となる。
【００５８】
以上に説明した実施の形態においては、コンテンツを分割した各チャプターに評価情報を関連付ける形態を示したが、本発明のコンテンツ再生装置１は、コンテンツデータに基づいたコンテンツ中の経過時間を示す情報に評価情報を関連付ける形態であってもよい。図８は、経過時間を示す情報に評価情報を関連付けた管理情報の内容の例を示す概念図である。図８には、タイトル１のコンテンツデータに係る管理情報の例を示しており、評価情報が関連付けられるべき部分に対応するコンテンツ中での経過時間を示す情報が含まれ、経過時間を示す情報に評価を表す評価情報が関連付けられている。この形態のコンテンツ再生装置１は、図５のフローチャートで示した処理とほぼ同様の処理にて、コンテンツを再生し、再生中に評価を受け付け、評価を受け付けたときに再生中の部分に対応するコンテンツ中での経過時間を示す情報に、受け付けた評価を表す評価情報を関連付けて、コンテンツ中の所定の部分に関連付けた評価情報を含む管理情報をＨＤＤ部２２でハードディスクに記録させる。
【００５９】
また本発明のコンテンツ再生装置１は、ハードディスクで記録しているコンテンツデータに基づいたコンテンツの一覧を表示装置３に表示させることができる。制御部１１は、操作部１５又はリモコン受信部１４でコンテンツの一覧の表示指示を受け付け、信号処理部２４は、各タイトルのコンテンツを文字又は画像で表す画像信号を生成し、出力部２５は画像信号を出力する。表示装置３は、画像信号に基づいて、コンテンツの一覧を表示する。
【００６０】
図９は、コンテンツの一覧の表示画面例を示す模式図である。本発明のコンテンツ再生装置１は、評価情報が関連付けられた部分を含むコンテンツについて、コンテンツのタイトル名と共に、各部分の内で最大の評価を表す評価情報が関連付けられた部分のサムネイル画像を表示装置３に表示させる。また評価情報が関連付けられていないコンテンツについては、コンテンツ再生装置１は、サムネイル画像を表示させない。図９に示した例では、タイトル１中で最大の評価４を表す評価情報が関連付けられたチャプター２のサムネイル画像が、タイトル１について表示されている。コンテンツ中での経過時間を示す情報に関連付けて評価情報を記録している形態の場合でも、コンテンツ再生装置１は、最大の評価を表す評価情報が関連付けられている部分を、コンテンツ中の経過時間に従って確定し、確定した部分のサムネイル画像を表示装置３に表示させる。
【００６１】
図９に示す如きコンテンツの一覧を表示装置３が表示した状態では、使用者は、リモコン４又は操作部１５に所定の操作を行うことによって、コンテンツの一覧の中から一のコンテンツを選択し、選択したコンテンツをコンテンツ再生装置１に再生させることができる。コンテンツ再生装置１は、コンテンツを代表するサムネイル画像として、コンテンツ中で最大の評価を受けている部分のサムネイル画像を表示させるので、使用者は、印象深いシーンを含む部分に高い評価を予め与えておくことにより、コンテンツ間の区別が容易となり、印象深いシーンを含むコンテンツを容易に検索して視聴することが可能となる。
【００６２】
また本発明のコンテンツ再生装置１は、バックライトを点灯させて時刻等の情報を表示する表示部１６を起動時に起動させ、所定時間が経過した後に表示部１６を消灯させる処理を行う。また本発明のコンテンツ再生装置１は、コンテンツの再生中に表示部１６を点灯させる処理を行う。
【００６３】
図１０は、コンテンツ再生装置１がコンテンツの再生中に表示部１６を点灯させる処理の手順を示すフローチャートである。制御部１１は、ＲＯＭ１３が記録する制御プログラムに従って以下の処理を実行する。図９に示す如き表示画面を表示装置３が表示した状態で使用者が操作部１５又はリモコン４で所定の操作を行うことにより、コンテンツ再生装置１は、コンテンツデータの指定及びコンテンツの再生指示を操作部１５又はリモコン受信部１４で受け付け、指定されたコンテンツデータに基づいてコンテンツの再生を開始する（Ｓ２１）。制御部１１は、コンテンツの再生中に、再生中のコンテンツが、評価情報が関連付けられた部分になったか否かを判定する（Ｓ２２）。再生中のコンテンツが、評価情報が関連付けられた部分になった場合は（Ｓ２２：ＹＥＳ）、制御部１１は、表示部１６を点灯させる（Ｓ２３）。表示部１６は、点灯することにより、時刻又はコンテンツ中の経過時間等の情報を表示する。また制御部１１は、表示部１６を点灯させた後に所定時間が経過した場合に、表示部１６を消灯させる。
【００６４】
ステップＳ２２で、再生中のコンテンツが、評価情報が関連付けられた部分ではない場合（Ｓ２２：ＮＯ）、又はステップＳ２３が終了した場合は、制御部１１は、コンテンツが最後まで再生されたか否かの判定、及び操作部１５若しくはリモコン受信部１４でコンテンツ再生の終了指示の待ち受けを行うことにより、コンテンツの再生を終了すべきか否かを判定する（Ｓ２４）。まだコンテンツの再生を終了すべきではない場合は（Ｓ２４：ＮＯ）、制御部１１は、処理をステップＳ２２へ戻し、コンテンツの再生を続行する。コンテンツが最後まで再生されたか、又はコンテンツ再生の終了指示を受け付けることにより、コンテンツの再生を終了すべきであると判定した場合は（Ｓ２４：ＹＥＳ）、制御部１１は、コンテンツの再生を終了し、処理を終了する。
【００６５】
コンテンツ再生装置１が行う以上の処理により、使用者は、コンテンツの再生中に、コンテンツ中の評価の高い部分が再生されていることに気づくことになり、効率的にコンテンツを視聴することが可能となる。また通常の状態で表示部１６が消灯されているので、コンテンツ再生装置１の消費電力が削減される。なお、制御部１１は、起動時に表示部１６を点灯させるのみではなく、リモコン受信部１４又は操作部１５で各種の指示を受け付けた場合にも表示部１６を点灯させる処理を行ってもよい。また本発明における点灯手段は、表示部１６に限るものではなく、ＬＥＤの点灯位置又は発光色等で各種の情報を示すインジケータであってもよい。
【００６６】
また本発明のコンテンツ再生装置１は、コンテンツを早送り再生する処理を行うことができる。例えば球技の試合等、長時間に渡るコンテンツの場合は、コンテンツ再生装置１が早送り再生を行うことにより、使用者は視聴時間を短縮することができる。図１１は、コンテンツ再生装置１がコンテンツの早送り再生を行う処理の手順を示すフローチャートである。制御部１１は、ＲＯＭ１３が記録する制御プログラムに従って以下の処理を実行する。
【００６７】
図９に示す如き表示画面を表示装置３が表示した状態で使用者が操作部１５又はリモコン４で所定の操作を行うことにより、コンテンツ再生装置１は、コンテンツデータの指定及び早送り再生の指示を操作部１５又はリモコン受信部１４で受け付け、指定されたコンテンツデータに基づいて、２倍速等の高速の再生速度でコンテンツの早送り再生を開始する（Ｓ３１）。制御部１１は、コンテンツの再生中に、再生中のコンテンツが、評価情報が関連付けられた部分であるか否かを判定する（Ｓ３２）。再生中のコンテンツが、評価情報が関連付けられた部分である場合は（Ｓ３２：ＹＥＳ）、制御部１１は、コンテンツの再生速度を、評価情報が表す評価に応じて遅くした再生速度に調整する（Ｓ３３）。例えば、制御部１１は、評価のない部分の再生速度を２倍速とし、評価が５段階で１〜３である部分の再生速度を１．５倍速とし、評価が５段階で４〜５である部分の再生速度を１倍速とする等、多段階で再生速度を調整する。またこのとき、制御部１１は、チャプターに評価情報が関連付けられている場合は、チャプターの再生速度を調整し、コンテンツ中の経過時間に評価情報が関連付けられている場合は、評価情報が関連付けられている経過時間が示す部分以降又は前後の所定期間内のコンテンツ部分での再生速度を調整する。
【００６８】
ステップＳ３２で、再生中のコンテンツが、評価情報が関連付けられた部分ではない場合（Ｓ３２：ＮＯ）、又はステップＳ３３が終了した場合は、制御部１１は、コンテンツが最後まで再生されたか否かの判定、及び操作部１５若しくはリモコン受信部１４でコンテンツ再生の終了指示の待ち受けを行うことにより、コンテンツの再生を終了すべきか否かを判定する（Ｓ３４）。まだコンテンツの再生を終了すべきではない場合は（Ｓ３４：ＮＯ）、制御部１１は、処理をステップＳ３２へ戻し、評価情報に応じた再生速度でコンテンツの再生を続行する。コンテンツが最後まで再生されたか、又はコンテンツ再生の終了指示を受け付けることにより、コンテンツの再生を終了すべきであると判定した場合は（Ｓ３４：ＹＥＳ）、制御部１１は、コンテンツの再生を終了し、処理を終了する。
【００６９】
以上の処理において、コンテンツ再生装置１は、コンテンツを早送り再生し、コンテンツ中で評価情報が関連付けられている部分の再生速度を、評価情報が表す評価に応じて遅くする。使用者は、球技の試合における得点シーン等の印象深いシーンを含む部分に高い評価を予め与えておくことにより、長時間に渡るコンテンツを早送り再生によって短時間で視聴しながらも、印象深いシーンを見逃さずに視聴することが可能となる。
【００７０】
また本発明のコンテンツ再生装置１は、コンテンツの放送に合わせてコンテンツデータを記録するために、記録の予約を行うことができる。使用者が操作部１５又はリモコン４で所定の操作を行うことにより、コンテンツ再生装置１は、コンテンツが放送される日時及びチャンネルの指定等を含む予約指示を操作部１５又はリモコン受信部１４で受け付け、制御部１１は、受け付けた予約指示をＲＡＭ１２に記憶させる。更にコンテンツ再生装置１は、使用者が操作部１５又はリモコン４で所定の操作を行うことにより、コンテンツに対する評価を受け付けることが可能である。制御部１１は、受け付けた評価を予約指示に関連付けてＲＡＭ１２に記憶させる。
【００７１】
図１２は、コンテンツ再生装置１が予約に従ってコンテンツデータを記録する処理の手順を示すフローチャートである。制御部１１は、ＲＯＭ１３が記録する制御プログラムに従って以下の処理を実行する。制御部１１は、日時を計時し、ＲＡＭ１２に記憶した予約指示が示すコンテンツの放送日時になったか否かを判定する（Ｓ４１）。日時がまだコンテンツの放送日時になっていない場合は（Ｓ４１：ＮＯ）、制御部１１は、日時の計時及びコンテンツの放送日時になったか否かの判定を続行する。日時がコンテンツの放送日時になった場合は（Ｓ４１：ＹＥＳ）、制御部１１は、ＲＡＭ１２に記憶した予約指示に評価が関連付けられているか否かを判定する（Ｓ４２）。
【００７２】
予約指示に評価が関連付けられていない場合は（Ｓ４２：ＮＯ）、制御部１１は、予約指示に従ったチャンネルでチューナ部２１に放送信号を受信させ、信号処理部２４は、チューナ部２１が受信した放送信号を処理してコンテンツデータにエンコードし、ＨＤＤ部２２は、信号処理部２４がエンコードしたコンテンツデータをハードディスクに記録させる（Ｓ４４）。ステップＳ４２で予約指示に評価が関連付けられている場合は（Ｓ４２：ＹＥＳ）、制御部１１は、ＨＤＤ部２２でハードディスクにコンテンツデータを記録させると共に、当該コンテンツデータに関連付けた評価情報を含む管理情報をＨＤＤ部２２でハードディスクに記録させることにより、評価情報を関連付けたコンテンツデータを記録する（Ｓ４３）。ステップＳ４３又はＳ４４が終了した後は、制御部１１は処理を終了する。以上の処理により記録した評価情報は、コンテンツに含まれる個々のチャプターではなく、コンテンツに対する評価を示す。
【００７３】
コンテンツ再生装置１は、ハードディスクにコンテンツデータが記録されていながらも未だ未再生のコンテンツの一覧を表示装置３に表示させることができる。図１３は、未再生のコンテンツの一覧の表示画面例を示す模式図である。本発明のコンテンツ再生装置１は、評価情報が関連付けられたコンテンツについて、評価情報が表す評価に応じて強調して表示する。図１３（ａ）に示す例では、星形等の所定のシンボルを評価の段階に応じた数だけコンテンツのタイトル名に付随させて、コンテンツを強調する。タイトル４の評価が３であってタイトル２の評価が１であるので、タイトル４には星形のシンボルが３個付随しており、タイトル２には星形のシンボルが１個付随している。また図１３（ｂ）に示す例では、コンテンツのタイトル名を評価の大きさの順に並べて表示している。なお、コンテンツ再生装置１は、評価情報が関連付けられたコンテンツをその他の方法で強調する処理を行ってもよい。
【００７４】
図１３に示す如き未再生のコンテンツの一覧を表示装置３が表示した状態では、使用者は、リモコン４又は操作部１５に所定の操作を行うことによって、コンテンツの一覧の中から一のコンテンツを選択し、選択したコンテンツをコンテンツ再生装置１に再生させることができる。使用者は、視聴する価値があると放送前に確信できるようなコンテンツに対して、記録の予約時に評価を入力しておくことにより、コンテンツを視聴せずとも評価情報をコンテンツデータに関連付けることができる。コンテンツ再生装置１は、未再生のコンテンツの中で評価情報が関連付けられたコンテンツを評価に応じて強調するので、使用者は、視聴する価値のあるコンテンツを容易に検索して視聴することが可能となり、特に視聴するつもりでコンテンツデータを記録させたコンテンツの視聴を失念する可能性が低下する。
【００７５】
更に本発明のコンテンツ再生装置１は、ハードディスクに記録したコンテンツデータをムーブ又はコピーすることにより光ディスクへダビングする際に、評価情報が関連付けられた状態でダビングする処理を行う。図１４は、コンテンツ再生装置１がコンテンツデータのダビングを行う処理の手順を示すフローチャートである。制御部１１は、ＲＯＭ１３が記録する制御プログラムに従って以下の処理を実行する。
【００７６】
使用者が操作部１５又はリモコン４で所定の操作を行うことにより、コンテンツ再生装置１は、ダビングすべきコンテンツデータの指定及びダビングの指示を操作部１５又はリモコン受信部１４で受け付ける。このとき、ダビングすべきコンテンツデータとして複数のコンテンツデータの指定を受け付けることが可能である。制御部１１は、指定されたコンテンツデータの中から、ダビングすべき一のコンテンツデータを選択する（Ｓ５１）。制御部１１は、次に、選択したコンテンツデータに評価情報が関連付けられているか否かを判定する（Ｓ５２）。コンテンツデータに評価情報が関連付けられていない場合は（Ｓ５２：ＮＯ）、制御部１１は、ＨＤＤ部２２にコンテンツデータをハードディスクから読み出させ、信号処理部２４にコンテンツデータを所定の高圧縮率（低ビットレート）で再エンコードさせ、再エンコードしたコンテンツデータを光ディスクドライブ部２３にて光ディスクに記録させる（Ｓ５３）。
【００７７】
ステップＳ５２でコンテンツデータに評価情報が関連付けられている場合は（Ｓ５２：ＹＥＳ）、制御部１１は、ＨＤＤ部２２にコンテンツデータをハードディスクから読み出させ、評価情報が表す評価に応じた圧縮率で信号処理部２４にコンテンツデータを再エンコードさせ、再エンコードしたコンテンツデータを光ディスクドライブ部２３にて光ディスクに記録させる（Ｓ５４）。このとき、コンテンツデータの圧縮率は、評価情報が関連付けられていないコンテンツデータの圧縮率よりも低圧縮率（高ビットレート）とし、関連付けられている評価情報が表す評価が高いほど低い圧縮率とする。制御部１１は、次に、ダビング元のコンテンツデータに関連付けられていた評価情報を含む管理情報を光ディスクドライブ部２３にて記録させることにより、コンテンツデータに関連付けて評価情報を光ディスクに記録させる（Ｓ５５）。ステップＳ５３又はステップＳ５５が終了した後は、制御部１１は、ダビングすべきコンテンツデータがまだあるか否かを判定する（Ｓ５６）。未だダビングしていないダビングすべきコンテンツデータがまだある場合は（Ｓ５６：ＹＥＳ）、制御部１１は、処理をステップＳ５１へ戻して、未だダビングしていないダビングすべき一のコンテンツデータを選択する。ステップＳ５６で指定されたコンテンツデータをダビングし終わっている場合は（Ｓ５６：ＮＯ）、制御部１１は処理を終了する。
【００７８】
以上のように、本発明のコンテンツ再生装置１は、コンテンツデータに関連付けられた評価情報の有無に応じた圧縮率、又はコンテンツデータに関連付けられている評価情報が表す評価に応じた圧縮率でコンテンツデータを再エンコードした上で、コンテンツデータをダビングする。高い評価を表す評価情報が関連付けられているコンテンツデータを低圧縮率でダビングすることにより、使用者は、評価の高いシーンを含むコンテンツを常に高品質で視聴することが可能となる。また評価情報が関連付けられていないコンテンツデータを高圧縮率でダビングすることにより、光ディスクの容量を節約することができる。
【００７９】
また本発明のコンテンツ再生装置１は、評価情報が関連付けられたコンテンツデータのダビング時には、評価情報が引き続き関連付けられた状態でコンテンツデータを光ディスクに記録させる。従って、光ディスクに記録されたコンテンツデータに基づいてコンテンツを再生した場合でも、使用者は、コンテンツの中から印象深いシーンを容易に検索して視聴することが可能となる。特に、光ディスクに記録されているコンテンツデータの内容を失念した場合でも、使用者は、コンテンツの中から印象深いシーンを容易に検索して視聴することができるので、光ディスクに記録されているコンテンツデータの内容を容易に思い出すことが可能となる。なお、本発明のコンテンツ再生装置１は、コンテンツデータの再エンコードを行わずに、ハードディスクに記録されているコンテンツデータを直接に光ディスクに記録させるダビングの処理を行うこともできる。再エンコードを行わない場合であっても、コンテンツ再生装置１は、評価情報が引き続き関連付けられた状態でコンテンツデータを光ディスクに記録させる。
【００８０】
なお、以上の実施の形態の説明においては、主にＨＤＤ部２２が備えるハードディスクが記録するコンテンツデータに対してコンテンツ再生装置１が行う処理について説明したが、本発明のコンテンツ再生装置１は、光ディスクドライブ部２３が取り込んだ光ディスクが記録するコンテンツデータに対しても同様の処理を行うことができる。例えば、コンテンツ再生装置１は、光ディスクに記録されたコンテンツデータに基づいてコンテンツを再生すること、コンテンツデータに関連付けて評価情報を光ディスクに記録させること、放送されたコンテンツを表すコンテンツデータを光ディスクに記録させること、及び光ディスクからハードディスクへコンテンツデータをダビングすることが可能である。
【００８１】
また、本実施の形態においては、本発明のコンテンツ再生装置１は、コンテンツデータと共に各コンテンツデータに係る管理情報を記録し、管理情報に評価情報を含ませることでコンテンツデータに管理情報を関連付ける処理を行う形態を示したが、その他の方法でコンテンツデータに管理情報を関連付ける処理を行う形態であってもよい。例えば、コンテンツ再生装置１は、評価情報を含んだコンテンツデータを記録することによって、コンテンツデータに評価情報を関連付ける処理を行う形態であってもよい。
【００８２】
なお、本実施の形態においては、本発明のコンテンツ再生装置１は、本発明に係る記録媒体としてハードディスク及び光ディスクを利用する形態を示したが、他の種類の記録媒体を利用する形態であってもよい。例えば、コンテンツ再生装置１は、記録媒体として磁気ディスク、磁気テープ、半導体メモリカード、又は可搬型のハードディスクを利用する形態であってもよい。また本実施の形態においては、本発明のコンテンツ再生装置１は、外部の表示装置３に画像を表示させる処理を行う形態を示したが、これに限るものではなく、液晶ディスプレイ等の表示画面を内部に備え、この表示画面に画像を表示させる処理を行う形態であってもよい。また本実施の形態においては、本発明のコンテンツ再生装置１は、チューナ部２１を備え、放送されたコンテンツを受信してコンテンツデータを記録できる形態を示したが、これに限るものではなく、本発明のコンテンツ再生装置１はチューナを備えずにコンテンツの再生を主に行う形態であってもよい。
【図面の簡単な説明】
【００８３】
【図１】本発明のコンテンツ再生装置の内部構成を示すブロック図である。
【図２】本発明のコンテンツ再生装置の外観の例を示す正面図である。
【図３】ＨＤＤ部が記録するコンテンツデータの例を示す概念図である。
【図４】管理情報の内容の例を示す概念図である。
【図５】管理情報を記録する処理の手順を示すフローチャートである。
【図６】コンテンツに含まれるチャプターの一覧の表示画面例を示す模式図である。
【図７】コンテンツに含まれるチャプターの一覧を評価の内容別に表示した表示画面例を示す模式図である。
【図８】経過時間を示す情報に評価情報を関連付けた管理情報の内容の例を示す概念図である。
【図９】コンテンツの一覧の表示画面例を示す模式図である。
【図１０】コンテンツ再生装置がコンテンツの再生中に表示部１６を点灯させる処理の手順を示すフローチャートである。
【図１１】コンテンツ再生装置がコンテンツの早送り再生を行う処理の手順を示すフローチャートである。
【図１２】コンテンツ再生装置が予約に従ってコンテンツデータを記録する処理の手順を示すフローチャートである。
【図１３】未再生のコンテンツの一覧の表示画面例を示す模式図である。
【図１４】コンテンツ再生装置がコンテンツデータのダビングを行う処理の手順を示すフローチャートである。
【符号の説明】
【００８４】
１  コンテンツ再生装置
１１  制御部
１４  リモコン受信部
１５  操作部
２２  ＨＤＤ部
２３  光ディスクドライブ部
２４  信号処理部
３  表示装置
４  リモコン
【図１】
2007323779.tif 000003
【図２】
2007323779.tif 000004
【図３】
2007323779.tif 000005
【図４】
2007323779.tif 000006
【図５】
2007323779.tif 000007
【図６】
2007323779.tif 000008
【図７】
2007323779.tif 000009
【図８】
2007323779.tif 000010
【図９】
2007323779.tif 000011
【図１０】
2007323779.tif 000012
【図１１】
2007323779.tif 000013
【図１２】
2007323779.tif 000014
【図１３】
2007323779.tif 000015
【図１４】
2007323779.tif 000016